(57)【特許請求の範囲】
【請求項１】
プラスチック製の眼鏡レンズと、該眼鏡レンズに固設されるレンズ固定部とテンプル又はブリッジに連結される連結部とを有する金属製の眼鏡部品とを備えるリムレス眼鏡であって、
前記眼鏡部品の前記レンズ固定部は、前記眼鏡レンズに貫通して穿設されたレンズ孔に挿入される１つの円柱状の脚部を有し、該脚部の外周面に螺旋状の溝が形成され、
前記螺旋状の溝の間には、該溝の幅よりも広い幅の平坦面が形成されており、
前記レンズ固定部の円柱状の脚部が前記レンズ孔に挿入されたとき、前記螺旋状の溝の始端又は終端は前記眼鏡レンズの面より露出し、当該露出している螺旋状の溝の始端又は終端から前記螺旋状の溝に接着剤が注入されて、前記レンズ固定部が前記眼鏡レンズに接着により固設されていることを特徴とするリムレス眼鏡。
【請求項２】
前記螺旋状の溝は、一条の溝であることを特徴とする請求項１に記載のリムレス眼鏡。
【請求項３】
前記螺旋状の溝は、複数条の溝であることを特徴とする請求項１に記載のリムレス眼鏡。
【請求項４】
前記複数条の溝は、巻き方向が互いに異なる溝であることを特徴とする請求項３に記載のリムレス眼鏡。
【請求項５】
前記眼鏡部品は、前記連結部が丁番を介してテンプルに連結されたヨロイであることを特徴とする請求項１ないし４のいずれかに記載のリムレス眼鏡。
【請求項６】
前記眼鏡部品は、前記レンズ固定部及び前記連結部を含み、一本の線材から形成されたブリッジであることを特徴とする請求項１ないし４のいずれかに記載のリムレス眼鏡。
【発明の詳細な説明】
【技術分野】
【０００１】
本発明は、レンズ外周部を保持するリムのないリムレス眼鏡に関する。
【背景技術】
【０００２】
従来、かかるリムレス眼鏡としては、例えば、特許文献１に記載のものが知られている。
【０００３】
この特許文献１には、眼鏡レンズに固設されるレンズ固定部材と、テンプル又はブリッジに連結される連結部材とを備え、レンズ固定部材と連結部材とが着脱自在に連結されるリムレス眼鏡が開示されている。そして、眼鏡レンズとレンズ固定部材との固定形態としては、樹脂で形成されたレンズ固定部材の円柱状の脚部をレンズに穿設したレンズ孔に差し込むようにしている。
【０００４】
また、特許文献２には、レンズ内側縁に線接触可能な平行線状の縁当て部とレンズ内側縁近傍に穿孔されたブリッジ止着孔に貫刺可能な内貫刺部とを有する金属製ブリッジ、及びレンズ外側縁に線接触可能な平行線状の縁当て部とレンズ外側縁近傍に穿孔されたヨロイ止着孔に貫刺可能な外貫刺部とを有する金属製ヨロイを用いて、左右一対のレンズを連結保持するようにしたリムレス眼鏡が記載されている。
【０００５】
そして、このようなレンズ孔とそこに挿入される部材との間に接着剤を充填することも一般的に行われている。
【０００６】
【特許文献１】特開２００４−５３６８９号公報
【特許文献２】登録実用新案第３００７８４６号公報
【発明の開示】
【発明が解決しようとする課題】
【０００７】
しかしながら、かかる従来のリムレス眼鏡においては、眼鏡レンズに対し、レンズ固定部材の円柱状の脚部を眼鏡レンズに穿設したレンズ孔に単に差し込むことにより固定するようにしているので、例えば、連続して長期間使用するようなときに、眼鏡レンズとレンズ固定部材との間に緩みが生じてしまうという問題があった。
【０００８】
また、このような緩みの発生を防止すべく接着剤を併用することも考えられるが、この場合、緩みの問題は改善される反面、レンズ交換などのメンテナンスが困難になるという問題があった。特に、眼鏡レンズとレンズ固定部とが共にプラスチックで形成されている場合には、接着部を分離させるのが困難であるので、眼鏡レンズ自体又はレンズ固定部自体を破壊せざるを得ず、この問題が顕著となる。
【０００９】
本発明の目的は、かかる従来の問題を解決し、眼鏡レンズとレンズ固定部との接続部の緩みを生ずることなく、しかも、レンズの着脱が容易なリムレス眼鏡を提供することにある。
【課題を解決するための手段】
【００１０】
上記目的を達成する本発明の一形態に係るリムレス眼鏡は、眼鏡レンズと、該眼鏡レンズに固設されるレンズ固定部とテンプル又はブリッジに連結される連結部とを有する眼鏡部品とを備えるリムレス眼鏡であって、前記眼鏡部品の前記レンズ固定部は、前記眼鏡レンズに穿設されたレンズ孔に挿入される円柱状の脚部を有し、該脚部の外周面に螺旋状の溝が形成されていることを特徴とする。
【００１１】
上記構成によれば、眼鏡部品のレンズ固定部の円柱状の脚部が眼鏡レンズに穿設されたレンズ孔に挿入されることにより、眼鏡部品のレンズ固定部が眼鏡レンズに固設される。このとき、脚部の外周面に螺旋状の溝が形成されているので、レンズ孔の内周面と脚部の外周面とがほぼ均一に接触することとなり、接続部の緩みを生ずることなく、しかも、眼鏡部品とレンズとの着脱が容易である。
【００１２】
ここで、前記螺旋状の溝は、一条の溝又は複数条の溝であってもよい。
【００１３】
また、前記複数条の溝は、巻き方向が互いに異なる溝であってもよい。
【００１４】
さらに、前記レンズ固定部は、前記螺旋状の溝に接着剤が注入されて眼鏡レンズに接着により固設されることが好ましい。
【００１５】
この構成によれば、接着剤が螺旋状の溝の中に確実に入り込むことができるので、レンズ孔の内周面と脚部の外周面との接続部の全域において接着剤が満遍なく行き渡り、確実な固設状態が得られる。したがって、脚部のレンズ孔からの抜けが防止されると共に、両者間のガタも皆無となる。
【００１６】
また、前記螺旋状の溝の間には、該溝の幅よりも広い幅の平坦面が形成されていることが好ましい。
【００１７】
この構成によれば、レンズ孔の内周面と脚部の外周面との接触が、この広い幅の平坦面にて行われるので、眼鏡レンズに対する面圧が低下され眼鏡レンズの割れが生じ難い。また、上記接着剤が緩衝材としても作用することから、かかる割れの発生をさらに抑えることができる。
【００１８】
さらに、前記眼鏡レンズはプラスチック製であり、前記レンズ固定部は金属製であることが好ましい。
【００１９】
この構成によれば、接着剤による接着力は一般的に同質材料間よりも異質材料間の方が弱いので、眼鏡レンズとレンズ固定部材とを相対回転させることにより、眼鏡レンズに傷をつけることなく、接着剤による結合が容易に解除される。
【００２０】
また、前記眼鏡部品は、前記連結部が丁番を介してテンプルに連結されたヨロイであってもよく、前記レンズ固定部及び前記連結部を含み、一本の線材から形成されたブリッジであってもよい。
【発明を実施するための最良の形態】
【００２１】
以下、本発明の実施の形態を、添付図面を参照しつつ説明する。なお、本明細書の記述において、「前後」、「左右」及び「上下」等の方向を表す表現は、眼鏡が通常の状態で人に装着されているときの方向を表している。
【００２２】
図１（Ａ）ないし（Ｃ）において、本発明の第1の実施形態に係るリムレス眼鏡１００Ｕは、プラスチック製の左右のレンズ１１０Ｕと、レンズ１１０Ｕに固設された眼鏡部品として、左右の金属製ヨロイ部材１２０Ｕ及び金属製ブリッジ部材１３０とを備えている。なお、本第1の実施の形態では、レンズ１１０Ｕには、図１（Ａ）ないし（Ｃ）から明らかなように、その内側縁部近傍及び上側縁部近傍に高さを異ならせて、ブリッジ側のレンズ孔１１２Ｕin及びヨロイ側のレンズ孔１１２Ｕupがそれぞれ穿設されている。なお、ブリッジ側及びヨロイ側の区別をする必要なくレンズ孔を称するとき、本第1の実施形態においては１１２Ｕを用いる。
【００２３】
金属製ヨロイ部材１２０Ｕは、図２（Ａ）ないし（Ｃ）に詳細に示すように、レンズに固設されるレンズ固定部としての脚部１２２Ｕと、テンプルに連結される連結部としての腕部１２４Ｕを有している。そして、本実施の形態においては、金属製ヨロイ部材１２０Ｕの脚部１２２Ｕと腕部１２４Ｕとの間にはＵ字状湾曲部１２６Ｕが介在され、その一方は脚部１２２Ｕと直線状に連続して形成され、その他方は腕部１２４Ｕとほぼ直角部を介して連続されている。さらに、腕部１２４Ｕは該直角部から下及び後方向に向けてなだらかに湾曲され、Ｕ字状湾曲部１２６Ｕに近い側の一部において、レンズ１１０Ｕの上縁部に当接する形状とされている。金属製ヨロイ部材１２０Ｕは、脚部１２２Ｕ、腕部１２４Ｕ及びＵ字状湾曲部１２６Ｕを含み、本実施の形態では一本の金属線材、例えば、ニッケル・クロム合金、ニッケル・チタン合金等の易曲性弾性材から形成されている。そして、円柱状の脚部１２２Ｕの外周面には一条の螺旋状の溝１２８が形成されている。該螺旋状の溝１２８は、図４（Ａ）に拡大して示すように、螺旋状の溝１２８の間に該溝の幅Ａよりも広い幅Ｂの平坦面１２９が形成されている。
【００２４】
また、金属製ヨロイ部材１２０Ｕの腕部１２４Ｕの一端部には、後述するヒンジ１６０の略鼓状のソケット部材１６２が設けられている。そして、該ヒンジ１６０を介してテンプル１７０が連結されている。なお、このヒンジ１６０を設けることなく、テンプル１７０を一体的に形成してもよい。
【００２５】
一方、金属製ブリッジ部材１３０は、図３（Ａ）ないし（Ｃ）に詳細に示すように、レンズに固設されるレンズ固定部としての脚部１３２と、ブリッジに連結される連結部としての腕部１３４を有している。なお、図３（Ａ）及び（Ｂ）において、後述の連結部１３７に連なる腕部１３４及び脚部１３２はそれぞれ対の関係にあるから、その一方のみに符号を付し図面の簡明化を図る。
【００２６】
そして、本実施の形態においては、金属製ブリッジ部材１３０の腕部１３４はＵ字状湾曲部１３５及びこれに連なる直角曲折部１３６を有し、Ｕ字状湾曲部１３５の一方の延長として脚部１３２が直線状に連続して形成されている。そして、腕部１３４の直角曲折部１３６の端部同士がブリッジである連結部１３７で連結されている。金属製ブリッジ部材１３０は、脚部１３２、腕部１３４及び連結部１３７を含み、同じく、一本の金属線材、例えば、チタン合金、ニッケル・クロム合金、ニッケル・チタン合金等の易曲性弾性材から一体のブリッジとして形成されている。なお、この連結部１３７で連結されている金属製ブリッジ部材１３０の両腕部１３４に対し、不図示の鼻当てパッドが取り付けられるＵ字状湾曲部１４２を備えた鼻当てパッド取付部材１４４がそれぞれ接合されている。
【００２７】
そして、円柱状の脚部１３２の外周面には、金属製ヨロイ部材１２０Ｕと同様に、一条の螺旋状の溝１３８が形成されている。なお、該螺旋状の溝１３８は、前述した金属製ヨロイ部材１２０Ｕの脚部１２２における螺旋状の溝１２８と同一形態であるので、前述の図４（Ａ）に符号を併記して示すように、螺旋状の溝１３８の間に該溝の幅Ａよりも広い幅Ｂの平坦面１３９が形成されている。
【００２８】
さらに、ヒンジ１６０とテンプル１７０につき、図１（Ａ）ないし（Ｃ）及び図５（Ａ）及び（Ｂ）を主に参照して簡単に説明する。本実施の形態においては、ヒンジ１６０が略鼓状のソケット部材１６２とテンプル１７０の端部に形成されたＪ字状曲折部１７２との組合せにより構成されている。より詳しくは、ソケット部材１６２には中心に貫通孔が形成されると共に、外周の一部に周方向溝が形成されている。そして、このソケット部材１６２は、本実施の形態においては、上述した金属製ヨロイ部材１２０Ｕの腕部１２４Ｕの端部がその外周部に接合される形態で、金属製ヨロイ部材１２０Ｕと一体に形成されている。
【００２９】
金属線材（例えば、チタン合金、ニッケル・クロム合金、ニッケル・チタン合金等の弾性材）からなるテンプル１７０の端部に形成されたＪ字状曲折部１７２は、ソケット部材１６２の貫通孔に挿通される第１脚部とそれに連続する第２脚部とを備え、第１脚部が貫通孔に挿通されたとき、第１脚部と第２脚部とでソケット部材１６２を弾性的に挟持するようにされている。さらに、該第２脚部は、テンプル１７０の端部の直線状部に対し鋭角に曲折され、その折り曲げの外周部が、上述のソケット部材１６２における周方向溝に係合するように形成されている。
【００３０】
上記本発明の第１の実施の形態にあっては、次の手順によりリムレス眼鏡１００Ｕが組立られ、完成されることになる。まず、レンズ１１０Ｕに穿設されたブリッジ側のレンズ孔１１２Ｕinに金属製ブリッジ部材１３０の脚部１３２を、及びヨロイ側のレンズ孔１１２Ｕupに金属製ヨロイ部材１２０Ｕの脚部１２２Ｕをそれぞれレンズ１１０Ｕの後方側から挿入することにより、金属製ブリッジ部材１３０及び金属製ヨロイ部材１２０Ｕを、それぞれ、レンズ１１０Ｕに固設する。なお、図５（Ａ）には、この金属製ヨロイ部材１２０Ｕを挿入する状態が代表的に示されている。このとき、金属製ブリッジ部材１３０においては、そのＵ字状湾曲部１３５の一方の直線状延長部として形成されている脚部１３２とＵ字状湾曲部１３５の他方に連なる直角曲折部１３６とでもって、ブリッジ側のレンズ孔１１２Ｕｉｎとレンズ１１０Ｕの内縁部とを弾性的に挟持するように、Ｕ字状湾曲部１３５の曲率及びレンズ孔１１２Ｕｉｎの穿設位置が定められている。一方、金属製ヨロイ部材１２０Ｕにおいては、脚部１２２Ｕとレンズ１１０Ｕの上縁部に当接する腕部１２４ＵのＵ字状湾曲部１２６Ｕに近い側の一部とでもって、ヨロイ側のレンズ孔１１２Ｕupとレンズ１１０Ｕの上縁部とを弾性的に挟持するように、腕部１２４Ｕの湾曲度合及びレンズ孔１１２Ｕupの穿設位置が定められている（図１（Ａ）参照）。
【００３１】
ここで、金属製ヨロイ部材１２０Ｕの脚部１２２Ｕ及び金属製ブリッジ部材１３０の脚部１３２の外周面には、図４（Ａ）に拡大して示したように、それぞれ、螺旋状の溝１２８及び１３８と、これらの溝間に溝の幅Ａよりも広い幅Ｂの平坦面１２９及び１３９とが形成されているので、レンズ孔１１２Ｕの内周面と脚部１２２Ｕ及び１３２の外周面とがほぼ均一に接触することとなる。したがって、レンズ１１０Ｕと金属製ヨロイ部材１２０Ｕ及び金属製ブリッジ部材１３０とは、それらの接続部の緩みを生ずることなく確実に固設される。そして、レンズ孔１１２Ｕの内周面と脚部１２２Ｕ及び１３２の外周面との接触が、この広い幅の平坦面にて行われるので、眼鏡レンズ１１０Ｕに対する面圧が低下され割れが生じ難くなる。
【００３２】
なお、かかる固設状態をより確実にするために、図６に示すように、螺旋状の溝１２８及び１３８に対し接着剤が注入されてもよい。詳しくは、脚部１２２Ｕ及び１３２は、その先端がレンズ１１０Ｕの前面より僅かに突出すると共に、螺旋状の溝１２８及び１３８の始端ないしは終端がレンズ１１０Ｕの前面より露出するようにレンズ孔１１２Ｕに挿入されている。そこで、この露出している螺旋状の溝１２８及び１３８の始端ないしは終端から接着剤Ｓを注入すると、図７に示すように、接着剤Ｓは容易に螺旋状の溝１２８及び１３８内を進む。したがって、接着剤Ｓが、脚部１２２Ｕ及び１３２の螺旋状の溝１２８及び１３８に満遍なく行き渡り、確実な固設状態が得られるのである。また、この接着剤Ｓは緩衝材としても作用することから、上述の眼鏡レンズ１１０Ｕの割れの発生をさらに抑えることができる。
【００３３】
そして、最後に、金属製ヨロイ部材１２０Ｕに一体に形成されている略鼓状のソケット部材１６２に、図５（Ａ）に示すように、テンプル１７０を連結する。詳しくは、ソケット部材１６２の貫通孔にテンプル１７０の端部に形成されたＪ字状曲折部１７２の第１脚部を挿通すると共に、第２脚部の折曲部を周方向溝に係合させ、第１脚部と第２脚部とでソケット部材１６２を弾性的に挟持させる。かくて、リムレス眼鏡１００Ｕは、ねじ等を一切用いることなく、各部品が連結されることにより完成されることになる。
【００３４】
なお、上述の組立の手順は入れ換えてもよい。例えば、金属製ヨロイ部材１２０Ｕを先に取り付け、そしてテンプル１７０を連結した後に、金属製ブリッジ部材１３０を取り付けたりしてもよい。
【００３５】
さらに、レンズ１１０Ｕを交換する必要があるときには、以下の手順で行うことができる。すなわち、金属製ヨロイ部材１２０Ｕ及び金属製ブリッジ部材１３０のそれぞれ脚部１２２Ｕ及び１３２から所定の距離、離れた部位を手で掴み、図８（Ａ）及び（Ｂ）に示すように、それぞれ、脚部１２２Ｕ及び１３２を中心として約２０度の相対回転となる程度、上下に動かして回転させる。すると、金属製ヨロイ部材１２０Ｕ及び金属製ブリッジ部材１３０は、螺旋状溝１２８及び１３８に接着剤が注入されている場合であっても、螺旋状溝に入り込んだ接着剤が削り取られ、特別な工具などを必要とすることなく容易に取り外すことができる。なお、図８（Ａ）及び（Ｂ）には、金属製ヨロイ部材１２０Ｕを取り外す場合のみを示したが、金属製ブリッジ部材１３０も同様にして取り外すことができることはいうまでもない。
【００３６】
そして、かかる金属製ヨロイ部材１２０Ｕ及び金属製ブリッジ部材１３０を再利用するときは、その螺旋状溝１２８及び１３８に付着している接着剤をブラッシングなどにより除去すればよく、レンズ１１０Ｕに関しても、そのレンズ孔１１２について再度、ドリルを通すことにより付着している接着剤を除去すれば使用可能となる。
【００３７】
次に、本発明の第２の実施形態に係るリムレス眼鏡１００Ｓを説明する。この第２の実施形態に係るリムレス眼鏡１００Ｓは上述の第１の実施形態に係るリムレス眼鏡１００Ｕに対し、その眼鏡部品としての金属製ヨロイ部材の形状及びそれに伴うレンズ孔の穿設位置が異なるのみであるので、以下の説明においては、その相違点につき説明し重複説明を避けることとする。
【００３８】
すなわち、第２の実施形態に係るリムレス眼鏡１００Ｓは、図９（Ａ）ないし（Ｃ）において、プラスチック製の左右のレンズ１１０Ｓと、レンズ１１０Ｓに固設された眼鏡部品として、左右の金属製ヨロイ部材１２０Ｓ及び金属製ブリッジ部材１３０とを備えている。なお、本第２の実施の形態では、レンズ１１０Ｓには、図９（Ａ）ないし（Ｃ）から明らかなように、その内側縁部近傍及び外側縁部近傍のほぼ同じ高さ位置に、ブリッジ側のレンズ孔１１２Ｓin及びヨロイ側のレンズ孔１１２Ｓoutがそれぞれ穿設されている。なお、ブリッジ側及びヨロイ側の区別をする必要なくレンズ孔を称するとき、本第２の実施形態においては１１２Ｓを用いる。
【００３９】
この第２の実施形態に係る金属製ヨロイ部材１２０Ｓは、図１０（Ａ）ないし（Ｃ）に詳細に示すように、レンズに固設されるレンズ固定部としての脚部１２２Ｓと、テンプルに連結される連結部としての腕部１２４Ｓを有している。そして、本第２の実施の形態においては、金属製ヨロイ部材１２０Ｓの脚部１２２Ｓと腕部１２４Ｓとの間には第１のＵ字状湾曲部１２５Ｓ及び第２のＵ字状湾曲部１２６Ｓが介在されている。第１のＵ字状湾曲部１２５Ｓの一方は脚部１２２Ｓと直線状に連続して形成され、その他方は第２のＵ字状湾曲部１２６Ｓの一方と兼用されている。そして、第２のＵ字状湾曲部１２６Ｓの他方は腕部１２４Ｓと連続して形成されている。さらに、腕部１２４Ｓは該第２のＵ字状湾曲部１２６Ｓとの連続部から外方向に向けてなだらかに湾曲されている。金属製ヨロイ部材１２０Ｓは、脚部１２２Ｓ、第１のＵ字状湾曲部１２５Ｓ、第２のＵ字状湾曲部１２６Ｓ及び腕部１２４Ｓを含み、本実施の形態においても一本の金属線材、例えば、ニッケル・クロム合金、ニッケル・チタン合金等の易曲性弾性材から形成されている。そして、円柱状の脚部１２２Ｓの外周面には螺旋状の溝１２８が形成されている。該螺旋状の溝１２８は、第１の実施形態と同様に図４（Ａ）に拡大して示すように、螺旋状の溝１２８の間に該溝の幅Ａよりも広い幅Ｂの平坦面１２９が形成されている。
【００４０】
また、金属製ヨロイ部材１２０Ｓの腕部１２４Ｓの一端部には第１の実施形態と同じくヒンジ１６０の略鼓状のソケット部材１６２が設けられている。そして、該ヒンジ１６０を介してテンプル１７０が連結されている。なお、このヒンジ１６０を設けることなく、テンプル１７０を一体的に形成してもよいこと前述の通りである。
【００４１】
なお、この第２の実施形態において、金属製ブリッジ部材１３０は第１の実施形態の場合と同じであり、この金属製ブリッジ部材１３０の脚部１３２がブリッジ側のレンズ孔１１２Ｓinに挿入され、レンズ１１０Ｓに固設される。一方、金属製ヨロイ部材１２０Ｓにおいては、脚部１２２Ｓとレンズ１１０Ｓの外縁部に当接する第２のＵ字状湾曲部１２６Ｓとでもって、ヨロイ側のレンズ孔１１２Ｓoutとレンズ１１０Ｓの外縁部とを弾性的に挟持するように、第１のＵ字状湾曲部１２５Ｓの湾曲度合及びレンズ孔１１２Ｓoutの穿設位置が定められている。
【００４２】
この第２の実施形態においても、金属製ヨロイ部材１２０Ｓの脚部１２２Ｓ及び金属製ブリッジ部材１３０の脚部１３２の外周面には、それぞれ、螺旋状の溝１２８及び１３８と、これらの溝間に溝の幅Ａよりも広い幅Ｂの平坦面１２９及び１３９とが形成されているので、レンズ孔１１２Ｓの内周面と脚部１２２Ｓ及び１３２の外周面とがほぼ均一に接触することとなり、レンズ１１０Ｓと金属製ヨロイ部材１２０Ｓ及び金属製ブリッジ部材１３０とは、それらの接続部の緩みを生ずることなく確実に固設される。そして、レンズ孔１１２Ｓの内周面と脚部１２２Ｓ及び１３２の外周面との接触が、この広い幅の平坦面にて行われるので、眼鏡レンズ１１０Ｓに対する面圧が低下され割れが生じ難いのである。
【００４３】
なお、この第２の実施形態に係るリムレス眼鏡１００Ｓの組立及び分解の手法は、上述の第１の実施形態の場合と同じであり、符号の添字「Ｕ」を「Ｓ」に読み替えればよい。
【００４４】
ところで、上述の第１及び第２の実施形態において、金属製ヨロイ部材１２０Ｕ、１２０Ｓ及び金属製ブリッジ部材１３０の脚部１２２Ｕ、１２２Ｓ及び１３２の外周面には、図４（Ａ）に拡大して示したように、それぞれ、一条の螺旋状の溝１２８及び１３８が形成されている。しかしながら、これらの螺旋状の溝１２８及び１３８は、これらの溝間に溝の幅Ａよりも広い幅Ｂの平坦面１２９及び１３９とが確保される限り、複数条の溝であってもよい。
【００４５】
また、複数条の溝として形成する場合には、図示は省略するが、一条の螺旋状の溝を、それぞれ、巻き方向を互いに異ならせることによって、複数条の溝を構成するようにしてもよい。
【００４６】
ここで、複数条からなる螺旋状の溝をそれらの巻き方向を互いに異ならせて螺旋状の溝を形成した一例を、図４（Ｂ）に拡大して示す。この図４（Ｂ）に示される例では、巻き方向が互いに異なる三条の螺旋状の溝が円柱状の脚部に形成されている。ここで、右巻きには「Ｒ」、左巻きには「Ｌ」、各条には順に「１ないし３」の接尾辞を付して具体的に説明する。例えば、金属製ヨロイ部材１２０Ｕの脚部１２２Ｕの外周面には、右巻きの三条の螺旋状の溝１２８R1，１２８R2，１２８R3及び左巻きの三条の螺旋状の溝１２８L1，１２８L2，１２８L3が円柱状の脚部１２２Ｕに形成されている。なお、金属製ヨロイ部材１２０Ｓ及び金属製ブリッジ部材１３０の脚部１２２Ｓ及び１３２の場合も同様である。
【００４７】
上述のように、螺旋状の溝を巻き方向を互いに異ならせた複数条の溝として形成すると、冶具を用いてこれらの溝を形成する際に、円柱状の脚部の一方向への転がりを阻止する力が作用するので、その形成作業が容易となる。
【００４８】
以上の説明から明らかなように、本発明の上記実施の形態によれば、金属製ヨロイ部材１２０Ｓ及び金属製ブリッジ部材１３０の脚部を直接にプラスチック製眼鏡レンズのレンズ孔に挿通させることが可能であるから、緩衝のためのプラスチック部品などが不要であり、すっきりとしたデザインの取り付け構造とすることができる。さらに、レンズ孔は単純円で単一孔であり、接着剤が用いられるので、孔明け作業もさほどの精度を必要とせず、小売店における加工が容易に行われ得る。
【図面の簡単な説明】
【００４９】
【図１】本発明の第１の実施形態に係るリムレス眼鏡を示し、（Ａ）は正面図、（Ｂ）は平面図、及び（Ｃ）は側面図である。
【図２】本発明の第１の実施形態に係るリムレス眼鏡の眼鏡部品としての金属製ヨロイ部材を示し、（Ａ）は正面図、（Ｂ）は平面図、及び（Ｃ）は側面図である。
【図３】本発明の第１の実施形態に係るリムレス眼鏡の眼鏡部品としての金属製ブリッジ部材を示し、（Ａ）は正面図、（Ｂ）は平面図、及び（Ｃ）は側面図である。
【図４】本発明の第１の実施形態に係るリムレス眼鏡の眼鏡部品としての金属製ヨロイ部材及び金属製ブリッジ部材の脚部を示す拡大側面図であり、（Ａ）は一条の螺旋状の溝、（Ｂ）は複数条の螺旋状の溝が形成された場合である。
【図５】本発明の第１の実施形態に係るリムレス眼鏡の眼鏡部品としての金属製ヨロイ部材の眼鏡レンズへの取り付けの様子を示す側面図であり、（Ａ）は連結前、及び（Ｂ）は連結後の状態である。
【図６】本発明の第１の実施形態に係るリムレス眼鏡の螺旋状溝への接着剤の注入の様子を示す側面図である。
【図７】本発明の第１の実施形態に係るリムレス眼鏡の螺旋状溝への接着剤の充填状態を示す断面図である。
【図８】本発明の第１の実施形態に係るリムレス眼鏡の金属製ヨロイ部材の取り外しの様子を示す正面図である。
【図９】本発明の第２の実施形態に係るリムレス眼鏡を示し、（Ａ）は正面図、（Ｂ）は平面図、及び（Ｃ）は側面図である。
【図１０】本発明の第２の実施形態に係るリムレス眼鏡の眼鏡部品としての金属製ヨロイ部材を示し、（Ａ）は正面図、（Ｂ）は平面図、及び（Ｃ）は側面図である。
【符号の説明】
【００５０】
１００Ｕ、１００Ｓ    リムレス眼鏡
１１０Ｕ、１１０Ｓ    眼鏡レンズ
１１２Ｕ、１１２Ｓ    レンズ孔
１２０Ｕ、１２０Ｓ    金属製ヨロイ部材
１２２Ｕ、１２２Ｓ    脚部
１２４Ｕ、１２４Ｓ    腕部
１２８    螺旋状溝
１２９    平坦面
１３０    金属製ブリッジ部材
１３２    脚部
１３４    腕部
１３８    螺旋状溝
１３９    平坦面
１６０    ヒンジ
１７０    テンプル
【図１】
0005370715.tif 000002
【図２】
0005370715.tif 000003
【図３】
0005370715.tif 000004
【図４】
0005370715.tif 000005
【図５】
0005370715.tif 000006
【図６】
0005370715.tif 000007
【図７】
0005370715.tif 000008
【図８】
0005370715.tif 000009
【図９】
0005370715.tif 000010
【図１０】
0005370715.tif 000011